(57)【特許請求の範囲】
【請求項１】
座と背もたれとを備えており、前記背もたれは、着座した人の背が当たる背受け部と、前記背受け部を部分的に前向きに押し出すランバーサポートとを備えており、背受け部とランバーサポートとがそれぞれ独立して高さ調節可能になっている、
という構成において、
前記背受け部は、当該背受け部の裏側において上下方向に延びるバックフレームに高さ調節可能に固定されており、かつ、前記バックフレームを、座の後方に後傾動可能に配置した支持フレームに高さ調節可能に取り付けており、前記バックフレームでランバーサポートが高さ調節可能に後方から支持されている、
椅子。
【発明の詳細な説明】
【０００１】
【発明の属する技術分野】
本発明は、ランバーサポート機能を備えた椅子に関するものである。
【０００２】
【従来の技術】
椅子の背もたれに、腰椎や脊椎を前向きに押すランバーサポートを設けることが提案されている。
【０００３】
この場合、腰椎の高さは身長や体型によって個人差があり、また、同じ程度の身長であっても、背中や腰のうちどの高さ位置を突出させたいか好みが相違する場合がある。このような要請に応えるため、例えば特許文献１には、ランバーサポートを高さ調節可能に取付けることが記載されている。
【０００４】
他方、特許文献２や特許文献３に記載されているように、座高の違いや好みに合わせて背もたれの高さを調節できるようにすることも提案されている。
【０００５】
【特許文献１】
特許第３０３８１７４号公報
【特許文献２】
特開２００２−１１９３７２号公報
【特許文献３】
特許第２９６９２９０号公報
【０００６】
【発明が解決しようとする課題】
ところで、ランバーサポートは、着座した人の腰椎を押すことにより、腰椎や脊椎への負担を軽減することを主たる機能としている。
【０００７】
しかし、単に腰椎を押し出しさえすれば着座した人に快適さを保障できる訳ではなく、人の背中全体が背もたれによってバランス良く支持されていることが必要である。その場合、最適な支持状態は体格や体型等によって個人差があるため、決め細かい支持状態を実現できる必要がある。
【０００８】
しかるに従来は、ランバーサポートのみを高さ調節するに過ぎないため、着座した人の背をバランス良く支持する機能が必ずしも十分とは言えなかった。また、特許文献２や特許文献３のように背もたれの高さを変更できるだけでも、着座した人の背をバランス良く支持できるとは言い難かった。
【０００９】
本発明は、このような現状を改善することを課題とするものである。
【００１０】
【課題を解決するための手段】
本願発明では、座と背もたれとを備えており、前記背もたれは、着座した人の背が当たる背受け部と、前記背受け部を部分的に前向きに押し出すランバーサポートとを備えており、背受け部とランバーサポートとがそれぞれ独立して高さ調節可能になっている、という構成において、前記背受け部は、当該背受け部の裏側において上下方向に延びるバックフレームに高さ調節可能に固定されており、かつ、前記バックフレームを、座の後方に後傾動可能に配置した支持フレームに高さ調節可能に取り付けており、前記バックフレームでランバーサポートが高さ調節可能に後方から支持されている。
【００１１】
【００１２】
【００１３】
【発明の作用・効果】
本発明によると、背受け部を最適の高さに設定しつつランバーサポートも最適の高さに設定することができるため、使用者の体格や体型、好みに合わせてオーダーメードしたのと同じ状態を実現して、使用者に快適な座り心地を提供することができる。
【００１４】
また、背受け部に固定したバックフレームがランバーサポートの取付けに兼用されるため、構造を簡単化することができる利点がある。また、バックフレームを背受け部に高さ調節可能に固定して、更にバックフレームを支持フレームに高さ調節可能に取り付けたものであるため、背もたれの全体の高さを調節できる範囲を大きくできる利点がある。
【００１５】
更に、ランバーサポートは背受け部を撓み変形させており、背受け部の弾性復元力によってランバーサポートはバックフレームに押されているため、本願発明において、ランバーサポートは必ずしもブッシュのような部材でバックフレームに取付ける必要はなく、横ずれ不能の状態でバックフレームに嵌め合わせるだけでも良いため、構造を一層簡単にすることが可能となる。
【００１６】
【発明の実施形態】
次に、本発明の実施形態を図面に基づいて説明する。
【００１７】
(1).第１実施形態（図１〜図８）
図１〜図８では第１実施形態を示している。このうち図１は椅子を後方から見た斜視図、図２は右側面図、図３は背面図である。
【００１８】
これらの図に示すように、椅子は、ガスシリンダのような高さ調節可能な支柱１を備えた脚２と、支柱１の上端に取付けたベース３と、ベース３に取付けた座４と、座４の後方に配置された背もたれ５とを備えている。
【００１９】
詳細は省略するが、座４は、合成樹脂製の座板にクッションを張った構造になっている（ループ状の保持フレームにネットを張った構造でもよい）。座４はベース３に固定的に取付けても良いし、背もたれ５の後傾動に連動して後傾しつつ後退動するように取付けても良い。
【００２０】
背もたれ５は、人の背もたれ荷重を支える背受け部６と、その裏側に配置した背面視略四角形のバックフレーム７と、背受け部６とバックフレーム７との間に配置されたランバーサポート８とを備えている。ランバーサポート８は合成樹脂製でも良いし、金属板製でも良い。
【００２１】
本実施形態の背受け部６は合成樹脂から成っており、その前面にクッション９を張っている。背受け部６のうち少なくともランバーサポート８が当たる範囲には、ランバーサポート８の押圧作用を受けて前向き突状に撓み変形することを許容するため、多数のスリット（図示せず）のような弱化手段を形成している。
【００２２】
バックフレーム７は、背受け部６の背面に設けた突起１０に固定されている。また、バックフレーム７は背受け部６よりも下方に延びており、その左右側部が支持フレーム１１に摺動可能に嵌まっている。
【００２３】
なお、バックフレーム７は左右側部を備えておれば足りるが、実施形態のように上水平部７ａを設けると、バックフレーム７の強度を高めることができることに加えて、当該上水平部７ａに手を掛けて椅子を移動させることができて便利である。また、下水平部７ｂを設けると、支持フレーム１１からの抜けを防止できる利点がある。
【００２４】
例えば図４から明瞭に理解できるように、支持フレーム１１は略Ｃ字状の連結杆１２で一体に連結されている。連結杆１２には、前向きに延びる左右一対の水平杆１３が溶接等によって固着されており、水平杆１３は、ベース３に後傾動自在に取り付けた揺動アーム１４に嵌め込み装着されている。詳細は省略するが、ベース３の内部にはばねが内蔵されており、背もたれ５はばねに抗して後傾動する。
【００２５】
図５は図２の V-V視断面図であり、バックフレーム７は、押さえ部材１５を介してねじ１６で突起１０に固定されている。従って、バックフレーム７の取付け高さも調節可能である。言うまでもないが、バックフレーム７の取付け態様は図示の構造には限らない。
【００２６】
図６のうち（Ａ）は図２のVIA-VIA 視断面図、（Ｂ）は分離平面図である。この図に示すように、支持フレーム１１は金属板を筒状に折り返すことによって形成されており、内部には合成樹脂製のブッシュ１７を抜け不能に嵌め入れている。そして、支持フレーム１１の重合部１１ａと連結杆１２に固着した取付け板１８とを重ね合わせて、両者をボルト（ビス）１９及びナット２０で締結している。
【００２７】
この場合、ボルト１９を緩めるとバックフレーム７を高さ調節することができるように設定しても良いし、ボルト１９をねじ込み切った状態で、ある程度の力を掛けるとバックフレーム７を昇降させ得る程度の摩擦がブッシュ１７とバックフレーム７との間に生じるように設定しておいても良い。背もたれ５には下向きの荷重はあまり作用しないため、後者の態様が優れていると言える。
【００２８】
なお、支持フレーム１１は、大きく広げることによってバックフレーム７を抱持しても良いし、バックフレーム７を差し込んでも良い。バックフレーム７を支持フレーム１１に差し込む場合は、バックフレーム７の下端を自由端に形成しておく必要がある（その場合は、左右のバックフレーム７を水平フレームで連結することによって補強したら良い）。
【００２９】
図７は図２の VII-VII視断面図、図８は図７のVIII−VIII視断面図である。これらの図に示すように、ランバーサポート８は板状でかつ側断面視で前向き凸状に湾曲している。このため、ランバーサポート８の支持箇所において背受け部６は前向き凸状に変形しており、これにより、着座した人の腰椎等を的確に支持することができる。
【００３０】
ランバーサポート８の左右両側部には、バックフレーム７に嵌まる樋形の支持ガイド部２１が形成されている。ランバーサポート８は、背受け部６を撓み変形させた状態で背受け部６とバックフレーム７とで挟持されているので、支持ガイド部２１をバックフレーム７に嵌めただけでも落下することはない。また、ランバーサポート８は人が手を掛けて簡単に昇降させることができる。
【００３１】
図３，７，８に一点差線で示すように、ランバーサポート８には、上下動させるに際して指を掛ける把手部２２を設けても良い。把手部２２はランバーサポート８の左右両側にはみ出る状態に形成しても良い。なお、ランバーサポート８はその前面が側面視で前向き凸状に形成されておれば良く、背面の形状には限定はない。また、ランバーサポート８を多少は撓み変形する構造とすることにより、クッション性を保持せしめることも好適である。
【００３２】
以上の説明から既に理解できるように、着座した人は、背受け部６とランバーサポート８とを最適の高さ位置に調節することにより、自分の座高や体型に合わせて背受け部６をフィットさせることができる。
【００３３】
なお、揺動アーム１４に水平杆１３を差し込み装着するにおいて、例えばねじ式のクランプ体で水平杆１３を揺動アーム１４に固定することにより、水平杆１３の差し込み深さを調節可能とし、以って、背もたれ５の前後位置を調節できるようにすることも可能である。
【００３４】
着座した人の体格に適合するように座板の前後位置を調節可能とすることが行われているが、これでは構造が複雑になるきらいがあるのに対して、背もたれ５を前後移動調節可能な構造にすると、簡単な構造によって座と背もたれとの相対位置を調節できる。
【００３５】
本実施形態のようにバックフレーム７を背受け部６に高さ調節可能に固定して、更にバックフレーム７を支持フレーム１１に高さ調節可能に取り付けると、背もたれ５の全体の高さを調節できる範囲を大きくできる利点がある。
【００３６】
(2).参考例（図９〜図12）
図９〜図１２では参考例を示している。この参考例は、背受け部６にネット２４を使用した例であり、図９（Ａ）の斜視図に示すように、ネット２４は正面視略四角形でループ状の保持フレーム２５に溶着や接着、或いはタッカーによる押さえ固定等の手段で固定されている。
【００３７】
図９のうち（Ｂ）は（Ａ）のＢ−Ｂ視断面図、図１０は図９（Ａ）の X-X視断面図、図１１は背もたれ５の背面図、図１２は図１１のXII-XII 視断面図である。
【００３８】
この参考例では、支持フレーム１１は背受け部６の背面に沿って上下に長く延びており、左右の支持フレーム１１の上端は補強のために横杆２６で一体に連結されている。
【００３９】
そして、保持フレーム２５の左右縦長側部には、背受け部６を横切るように延びる後ろ向き凸形のブラケット板２７をねじ止め等によって固定し、このブラケット板２７に、支持フレーム１１を抱持する受け部２８を固定している。
【００４０】
ランバーサポート８の背面には、平面視で後ろ向き凹状に広がるＶ字状のガイド突起２９を設けており、このガイド突起２９の背面に設けた左右長手の溝２９ａに、クサビ部材３０を上下移動不能で左右動可能に嵌め入れている。クサビ部材３０にはねじ軸３１がねじ込まれている。ねじ軸３１は、ブラケット板２７の左右側板２７ａに回転自在で左右移動不能に嵌め入れられており、かつ、端部には摘まみ３２を設けている。
【００４１】
また、ねじ軸３１における雄ねじのうち一方のクサビ部材３０にねじ込まれる部分３１ａは右ねじで、他方の部分３１ｂは左ねじになっている。このため、ねじ軸３１を一方方向に回転すると左右のクサビ体３０は互いに接近するように移動し、ねじ軸３１を他方向に回転すると左右のクサビ部材３０は互いに離反するように移動する。そして、このクサビ部材３０の移動により、ランバーサポート８の突出寸法を無段階に調節することができる。
【００４２】
このようにランバーサポート８の突出寸法を調節できるようにすると、着座した人の身体へのフィット性を一層向上させることができる。クサビ部材３０とねじ軸３１とは、ランバーサポート８の前向き突出量調節手段の一例であるが、偏心カム等の他の調節手段を採用することも可能である。
【００４３】
ねじ軸３１を通すためにブラケット板２７の側板２７ａに設けた穴３３は上下に長い長穴になっている。このため、ランバーサポート８を独立して高さ調節することができる。
【００４４】
支持フレーム１１は第１実施形態と同様に揺動アーム１４に差し込み装着しても良いし、支持フレーム１１の下端に水平部を設けて、これを直接にベース３に取付けるなどしても良い。
【００４５】
(3).第２実施形態（図13〜図14）
図１３〜図１４では第２実施形態を示している。図１３は一部破断背面図、図１４のうち（Ａ）は側面図、（Ｂ）は図１３のXIVB-XIVB 視断面図、（Ｃ）は（Ａ）のＣ−Ｃ視断面図である。
【００４６】
この実施形態も、参考例と同様に背受け部６はネット２４で構成されている。そして、保持フレーム２５に、上下に延びるバックフレーム７を固定し、バックフレーム７を支持フレーム１１に高さ調節可能に嵌め入れている。支持フレーム１１は、ベース３に後傾動可能に取付けられている。
【００４７】
支持フレーム１１は例えば合成樹脂製であり、この支持フレーム１１に内向きのガイド溝３５を形成し、このガイド溝３５にランバーサポート８の左右縁部８ａを上下動可能に嵌め入れている。左右の支持フレーム１１は、補強のためた横長部１１ａによって一体に連結されている。
【００４８】
第１実施形態と同様に、支持フレーム１１に、バックフレーム７との間に適度の摩擦を与えるためのブッシュを嵌め入れてもよい。また、ガイド溝３５は背受け部６に向けて開口させてもよい。
【００４９】
【００５０】
【００５１】
【００５２】
【００５３】
【００５４】
【００５５】
【００５６】
(5).その他
本発明は、上記の実施形態の他にも様々に具体化することができる。例えば、背受け部やランバーサポートの上下動手段は、様々の構造を採用できる。また、ランバーサポートも、例えばローラ状のような様々の形状を選択することができる。支持フレームは座に固定的又は後傾動可能に取付けても良い。
【図面の簡単な説明】
【図１】第１実施形態の椅子を後方から見た斜視図である。
【図２】右側面図である。
【図３】背面図である。
【図４】背もたれの支持構造の骨組みを示す斜視図である。
【図５】図２の V-V視断面図である。
【図６】 (A)は図２のVIA-VIA 視断面図、 (B)は分離平面図である。
【図７】図２の VII-VII視断面図である。
【図８】図７のVIII−VIII視断面図である。
【図９】参考例を示す図で、 (A)は背受け部の斜視図、 (B)は (A)の B-B視断面図である。
【図10】図９の X-X視断面図である。
【図11】背もたれの背面図である。
【図12】図１１のXII-XII 視断面図である。
【図13】第２実施形態の一部破断背面図である。
【図14】 (A)は第２実施形態の側面図、 (B)は図１３のXIVB-XIVB 視断面図、 (C)は (A)の C-C視断面図である。
【符号の説明】
４  座
５  背もたれ
６  背受け部
７  バックフレーム
８  ランバーサポート
１１  支持フレーム
【図１】
0004078202.tif 000002
【図２】
0004078202.tif 000003
【図３】
0004078202.tif 000004
【図４】
0004078202.tif 000005
【図５】
0004078202.tif 000006
【図６】
0004078202.tif 000007
【図７】
0004078202.tif 000008
【図８】
0004078202.tif 000009
【図９】
0004078202.tif 000010
【図１０】
0004078202.tif 000011
【図１１】
0004078202.tif 000012
【図１２】
0004078202.tif 000013
【図１３】
0004078202.tif 000014
【図１４】
0004078202.tif 000015